(57)【要約】      （修正有）【課題】乳幼児を、縦だっこ或いは横だっこする際に使用するベビーホルダーで、サイズ調節可能な金具付きでコンパクトに収納できるベビーホルダーの提供。【解決手段】中綿１ｃ入りの肩ベルト１の表側布１ａから裏側布１ｂまで通して縫い付けた２本の帯材２の両端に、調節機能付きの金具２ａ，２ｂを取付け、金具部分には安全の為の金具カバー３，３ａを付け、さらに肩ベルト１に幼児の尻部を包容する袋布４を縫い付けた物と、手提げ袋６とで構成され、コンパクトで携帯に便利である上、金具２ａ，２ｂを装着して一体化させる事により、使用可能となる。【選択図】図１
0003116742.tif 000002
【実用新案登録請求の範囲】
【請求項１】
一端に引掛け用金具を設け、この引掛け用金具が着脱自在に引掛けられる留め金具を他端に備えた布、人工皮革などの柔軟性を有する帯材と、この帯材を縫い付けた布、人工皮革などの柔軟性を有する肩ベルトと、この肩ベルトに外側面を縫い付けられた幼児の尻部を包容する布袋部とで成した事を特徴としたベビーホルダー。
【請求項２】
引掛け用金具又は留め金具に夫々の取付け位置を変更出来る様にした請求項１記載のベビーホルダー。
【請求項３】
留め金具に引掛け用金具を引掛けた状態で、夫々の金具を覆うカバーを肩ベルトに備えた事を特徴とした請求項１〜２記載のベビーホルダー。
【請求項４】
肩ベルト及び布袋部を折り畳んだ状態で手提げ袋に収納する事を特徴とした請求項１〜３記載のベビーホルダー。
【考案の詳細な説明】
【技術分野】
【０００１】
本考案は乳幼児を、縦だっこ或いは横だっこする為のベビーホルダーに関するものである。
【背景技術】
【０００２】
乳幼児のだっこ用具所謂ベビーホルダーは、ウエストポーチ型のポーチからウエストや肩にバンドが出て使用者に固定し、乳幼児にもベルトを使用するものが多い。
【特許文献１】登録実用新案  第３０１８３５４号
【特許文献２】登録実用新案  第３０２６３８８号
【特許文献３】登録実用新案  第３０５４６７６号
【考案の開示】
【考案が解決しようとする課題】
【０００３】
従来のだっこ用具は、装着の煩わしさや、嵩高さに加え価格の高いものが多い為、一人で簡単に装着でき、コンパクトで携帯に便利であり、低価格でだっこ用具使用時期に於ける乳幼児の成長などによる買い替えの必要がないなど、前述の問題点の解決と共に、使用者の身体的及び経済的負担の軽減を図ろうとするものである。
【課題を解決するための手段】
【０００４】
一端に引掛け用金具を設け、これを着脱自在に引掛けられる留め金具を他端に備えた布、人工皮革などの柔軟性を有する帯材を布、人工皮革などの柔軟性を有する肩ベルトに縫い付け、この肩ベルトに幼児の尻部を包容する布袋部を外側面に縫い付け、また引掛け用金具と留め金具を覆うカバーを設け、夫々の金具の取付け位置を変更する事で長さの調節が出来、留め金具に引掛け用金具を引掛ける事で一体化され使用可能となるものと、肩ベルト及び布袋部を折り畳んだ状態で収納した手提げ袋とで構成される。
【考案の効果】
【０００５】
（１）請求項１により、予め金具を調節して装着しておく事により一人で簡単に使用でき、袋布を広げる事で首の据わらない新生児期及び幼児が寝た場合の横だっこにも対応でき、中綿入りの肩ベルトや、片手が自由に使えるなど、使用者の負担の軽減が図られる。
（２）請求項２により、留め金具は上下夫々２個ずつ計４個設ける事により、二段階に、また引掛け用金具はそれが取付けられているループ状帯材の長さの分に於いてサイズ調節が可能である為、だっこ用具を必要とする時期に於ける乳幼児の成長により買い替えを必要とせず、使用者の経済的負担の軽減が図られる。
（３）請求項３により、留め金具に引掛け用金具を引掛けた状態で、夫々の金具を覆うカバーを設けることにより、乳幼児の安全を図る物である。
（４）請求項４により、肩ベルト及び布袋部を折り畳んで収納できる手提げ袋はコンパクトで、伸縮性がある為出し入れが容易に出来、ベビーカーなどに吊るせるなど、携帯に便利な物である。
【考案を実施するための最良の形態】
【０００６】
以上の構成から成るベビーホルダーは、衣服の厚みや乳幼児の大きさを考慮して、予め金具を調節、装着して肩ベルトを一体化させた上、金具カバーで覆った後、使用者の左右いずれかの肩に斜め掛けする。次に袋布を広げ、その中に使用者と向き合わせに幼児を抱き、尻部を入れると同時に脚は使用者の脇から夫々出して座らせる。その際幼児と使用者の間にある袋布は幼児の尻部を十分に包容できるように引き上げて安定させる。また、首が据わらない新生児期や幼児が寝た場合には、袋布を最大に広げて使用する物である。
【実施例１】
【０００７】
以下、図面に従って実施例を説明する。図１において肩ベルト１は、表側布１ａ裏側布１ｂとで成し、図４に示す如く、その両者１ａ，１ｂ間は、中綿の芯材１ｃを有する。この芯材１ｃは肩ベルト１の素材が柔軟性、弾力性に於いて使用者が使用する際の身体的負担を軽減出来る範囲のものであればその有無を問わない。
【実施例２】
【０００８】
更に、表側布１ａの上から２本平行に、裏側布１ｂまで貫通させて縫い付けた帯材２は、補強と共にデザイン性を加味する物である。本考案はこの帯材として綿テープを２本使用しているが、その他肩ベルトに準じた素材を使用するなど２本である必要はない。
【実施例３】
【０００９】
図５に示す如く、前述の帯材２の一端に留め金具２ａをボタンとして上下夫々２個ずつ計４個取付けている。それにより二段階にサイズ調節が出来るものであるが、金具の数を増やす事により更に調節の幅が広がる事も考えられる。
【実施例４】
【００１０】
図６に示す如く、前述の帯材２の他端の引掛け用金具２ｂはリング状に形成されており、それが取付けられているループ状の帯材２ｃの長さの分に於いてサイズ調節が可能である。
【実施例５】
【００１１】
図５に示す如く、留め金具２ａの取付け部には安全の為の金具カバー３，３ａを取付けている。本考案は２枚であるが、図７の様に１枚を左右どちらかに取付ける方法や引掛け用金具２ｂ側に取付けることも考えられる。何れの場合でも金具カバーを安全に覆う物であれば十分である。
【実施例６】
【００１２】
図５に示す如く、金具カバー３，３ａには面ファスナー５，５ａを取付ける事で着脱を容易にした。着脱部の別例として図８に示したスナップ７，７ａや図９に示した金具８，８ａなども考えられる。
【実施例７】
【００１３】
図１０に示す如く、前述の肩ベルト１の幼児尻部を包容する袋布部４は、折り畳む事で、肩ベルト１の巾に納められる物で、最大に広げる事により首の据わらない乳児期や幼児が寝た場合の横だっこが可能となる。
【実施例８】
【００１４】
上記の説明から成るベビーホルダー本体と、図１１に示す如く、その出し入れ口部６ａを上下に重ね縫いすることで、ファスナー、面ファスナー、その他の留め具を不要とした軽量且つ、伸縮性ある素材から成り、ベビーカーなどに吊る事が出来る手提げ袋６とで構成される。また別例として出し入れ口部を、ファスナー（図示せず）、面ファスナー５，５ａ、スナップ７，７ａなどで留める事も考えられる。
【００１５】
以上の構成から成るベビーホルダーは、引掛け用金具２ｂを留め金具２ａに装着して一体化させる事により、使用可能となる物である。
【図面の簡単な説明】
【００１６】
【図１】ベビーホルダーの正面図
【図２】同上の背面図
【図３】同上の斜視図
【図４】中綿の側面図
【図５】留め金具と金具カバーの正面図
【図６】引掛け金具とループ状の帯材の正面図
【図７】金具カバーの別例の正面図
【図８】金具カバー着脱部の別例のスナップ図
【図９】同上の別例の金具図
【図１０】ベビーホルダー装着時の異なる使用例図
【図１１】手提げ袋の正面図
【図１２】ベビーホルダー装着時の異なる使用例図
【図１３】同上の背面図
【図１４】同上の側面図
【図１５】ベビーホルダーの金具装着前の状態図
【図１６】同上の背面図
【符号の説明】
【００１７】
１    本体の肩ベルト
２    帯材
２ａ  帯材に付けた留め金具
２ｂ  同上の引掛け用金具
３    金具カバー下前部
３ａ  同上の上前部
４    袋布部
６    手提げ袋
【図１】
0003116742.tif 000003
【図２】
0003116742.tif 000004
【図３】
0003116742.tif 000005
【図４】
0003116742.tif 000006
【図５】
0003116742.tif 000007
【図６】
0003116742.tif 000008
【図７】
0003116742.tif 000009
【図８】
0003116742.tif 000010
【図９】
0003116742.tif 000011
【図１０】
0003116742.tif 000012
【図１１】
0003116742.tif 000013
【図１２】
0003116742.tif 000014
【図１３】
0003116742.tif 000015
【図１４】
0003116742.tif 000016
【図１５】
0003116742.tif 000017
【図１６】
0003116742.tif 000018